(57)【特許請求の範囲】
【請求項１】
第１の文書表示装置および第２の文書表示装置を有した文書表示システムであって、
前記第１の文書表示装置および前記第２の文書表示装置のそれぞれが、
当該第１の文書表示装置および当該第２の文書表示装置に共通する表示設定項目のうちの予め定められた項目である共通項目および自装置における当該共通項目以外の表示設定項目である固有項目についての表示設定に従って、電子文書を表示する表示処理部と、
前記電子文書が表示されている期間中に、ユーザーによる設定変更操作が行われるごとに、最新の表示設定を示す表示設定情報を更新する設定更新部と、
前記電子文書の外部への送出指示を受けて、当該電子文書をこれに前記表示設定情報を付加して送出する文書送出部とを備えており、
前記第１の文書表示装置は、
前記第２の文書表示装置から送出された前記電子文書および当該電子文書に当該第２の文書表示装置によって付加された前記表示設定情報を取得する文書取得部と、
前記文書取得部によって前記電子文書とともに取得された前記表示設定情報が示す表示設定に、前記共通項目および前記電子文書の当該第１の文書表示装置における前回の表示中に前記設定更新部によって更新された前記固有項目の設定が含まれる場合に、前記文書取得部によって取得された当該電子文書の表示開始時の表示設定に、当該電子文書に付加された前記表示設定情報が示す表示設定における前記共通項目および前記固有項目の設定を反映させる表示設定部と、を備える
ことを特徴とする文書表示システム。
【請求項２】
前記表示設定部は、表示設定情報が付加されていない電子文書の表示開始時の表示設定を予め定められたデフォルトの設定とする
請求項１記載の文書表示システム。
【請求項３】
前記表示設定部は、前記固有項目の設定を示さない表示設定情報が付加された電子文書の表示開始時の前記固有項目の設定を予め定められたデフォルトの設定とする
請求項１または２記載の文書表示システム。
【請求項４】
前記表示設定部は、前記表示設定情報が示す前記共通項目の表示設定にフォント置換が含まれている場合において、前記固有項目の表示設定にフォントが含まれているときには、前記電子文書の表示開始時のフォントとして前記表示設定情報が示すフォントを用い、前記固有項目の表示設定にフォントが含まれていないときには、予め定められたデフォルト情報が示すフォントを用いる
請求項１ないし３のいずれかに記載の文書表示システム。
【請求項５】
前記表示設定部は、前記表示設定情報が示す前記共通項目の表示設定に文字サイズの最適化が含まれている場合において、前記固有項目の表示設定に文字サイズが含まれているときには、前記電子文書の表示開始時の文字サイズとして前記表示設定情報が示す文字サイズを用い、前記固有項目の表示設定に文字サイズが含まれていないときには、予め定められたデフォルト情報が示す文字サイズを用いる
請求項１ないし４のいずれかに記載の文書表示システム。
【請求項６】
電子文書を表示する文書表示装置であって、
当該文書表示装置に固有ではないと定められた表示設定項目である共通項目および当該文書表示装置における前記共通項目以外の表示設定項目である固有項目についての表示設定に従って、表示対象に指定された電子文書を表示する表示処理部と、
前記電子文書が表示されている期間中に、ユーザーによる設定変更操作が行われるごとに、最新の表示設定を示す表示設定情報を更新する設定更新部と、
前記電子文書の外部への送出指示を受けて、当該電子文書をこれに前記表示設定情報を付加して送出する文書送出部と、
外部装置から送出された前記電子文書および当該電子文書に当該外部装置によって付加された表示設定情報を取得する文書取得部と、
前記文書取得部によって前記電子文書とともに取得された前記表示設定情報が示す表示設定に、前記共通項目および前記電子文書の当該文書表示装置における前回の表示中に前記設定更新部によって更新された前記固有項目の設定が含まれる場合に、前記文書取得部によって取得された当該電子文書の表示開始時の表示設定に、当該電子文書に付加された前記表示設定情報が示す表示設定における前記共通項目および前記固有項目の設定を反映させる表示設定部と、を備える
ことを特徴とする文書表示装置。
【請求項７】
前記表示設定部は、表示設定情報が付加されていない電子文書の表示開始時の表示設定を予め定められたデフォルトの設定とする
請求項６記載の文書表示装置。
【請求項８】
前記表示設定部は、前記固有項目の設定を示さない表示設定情報が付加された電子文書の表示開始時の前記固有項目の設定を予め定められたデフォルトの設定とする
請求項６または７記載の文書表示装置。
【請求項９】
前記表示設定部は、前記表示設定情報が示す前記共通項目の表示設定にフォント置換が含まれている場合において、前記固有項目の表示設定にフォントが含まれているときには、前記電子文書の表示開始時のフォントとして前記表示設定情報が示すフォントを用い、前記固有項目の表示設定にフォントが含まれていないときには、予め定められたデフォルト情報が示すフォントを用いる
請求項６ないし８のいずれかに記載の文書表示装置。
【請求項１０】
前記表示設定部は、前記表示設定情報が示す前記共通項目の表示設定に文字サイズの最適化が含まれている場合において、前記固有項目の表示設定に文字サイズが含まれているときには、前記電子文書の表示開始時の文字サイズとして前記表示設定情報が示す文字サイズを用い、前記固有項目の表示設定に文字サイズが含まれていないときには、予め定められたデフォルト情報が示す文字サイズを用いる
請求項６ないし９のいずれかに記載の文書表示装置。
【請求項１１】
文書表示装置において実行されるコンピュータプログラムであって、
前記文書表示装置が有するコンピュータによって実行されたときに、
当該文書表示装置に固有ではないと定められた表示設定項目である共通項目および当該文書表示装置における前記共通項目以外の表示設定項目である固有項目についての表示設定に従って、表示対象に指定された電子文書を表示する表示処理部と、
前記電子文書が表示されている期間中に、ユーザーによる設定変更操作が行われるごとに、最新の表示設定を示す表示設定情報を更新する設定更新部と、
前記電子文書の外部への送出指示を受けて、当該電子文書をこれに前記表示設定情報を付加して送出する文書送出部と、
外部装置から送出された前記電子文書および当該電子文書に当該外部装置によって付加された表示設定情報を取得する文書取得部と、
前記文書取得部によって前記電子文書とともに取得された前記表示設定情報が示す表示設定に、前記共通項目および前記電子文書の当該文書表示装置における前回の表示中に前記設定更新部によって更新された前記固有項目の設定が含まれる場合に、前記文書取得部によって取得された当該電子文書の表示開始時の表示設定に、当該電子文書に付加された前記表示設定情報が示す表示設定における前記共通項目および前記固有項目の設定を反映させる表示設定部と、を前記コンピュータに実現させる
ことを特徴とするコンピュータプログラム。
【発明の詳細な説明】
【技術分野】
【０００１】
本発明は、電子文書を表示する文書表示装置および複数の文書表示装置を備える文書表示システムに関する。文書表示装置には、据置き型または携帯型の情報処理装置・携帯端末・書籍リーダーなどのようにディスプレイを表示に用いる装置、およびプロジェクタのようにスクリーンを表示に用いる装置が含まれる。
【背景技術】
【０００２】
一人の人物が同じ内容の電子文書を複数の情報機器のそれぞれに表示させて閲覧することがある。例えば、パーソナルコンピュータ（ＰＣ）で作成したりＷｅｂサイトから取り込んだりした電子文書を、スマートフォンやタブレットＰＣといった携帯型の情報機器に転送して持ち歩く、という情報機器のユーザーがいる。このユーザーはパーソナルコンピュータで閲覧した電子文書（またはその複製）を、携帯型の情報機器によって任意の場所で閲覧することができる。携帯型の情報機器に文書編集機能が備わる場合であれば、任意の場所で電子文書を更新したりコメントを付加したりすることができる。そして、携帯型の情報機器で更新した電子文書をそれが元々あったパーソナルコンピュータか別の情報機器かへ転送し、転送先の情報機器を用いて閲覧することもできる。
【０００３】
電子文書の閲覧に際して、情報機器の表示設定がユーザーによって適宜変更される。表示設定の項目は、表示の向き（縦／横）、表示倍率、同時に表示するページの数、ページ送り順序、表示フォント、画面分割、画面の配色など様々である。一般に、電子文書を表示するソフトウェア（ビューアー）は電子文書を表示している期間中の設定変更操作を受け付ける。ユーザーは電子文書を閲覧しながら表示設定を変更して閲覧をし易くすることができる。
【０００４】
ユーザーが変更した最新の表示設定を記憶する、いわゆる作業状態保存機能が知られている。ユーザーが閲覧終了操作をすると、その時点の表示設定および電子文書における表示中の部分の位置が記憶される。そして、その後にこの電子文書を表示するとき、以前の表示状態が再現される。ただし、全ての項目についてそれらの表示設定が電子文書に対応づけて記憶されるわけではない。すなわち、ユーザーが第１の電子文書を閲覧した後に第２の電子文書を閲覧し、第２の電子文書の閲覧中に特定の項目（設定がどの文書にも共通に適用される項目）について表示設定を変更したとする。そうすると、その後に再び第１の電子文書を閲覧するとき、特定の項目については第２の電子文書での表示設定が適用されてしまい、第１の電子文書を以前に閲覧したときの表示状態は再現されない。
【０００５】
なお、同じ内容の電子文書を複数の情報機器に表示させることに関して、複数の携帯型端末のそれぞれのユーザーが電子文書の付加情報を共有するための情報共有システムが提案されている（特許文献１）。この情報共有システムでは、ある携帯型端末のユーザーが文書のページにアンダーラインや手書き文字を付すと、その内容を示す付加情報が管理装置へ送られ、管理装置から他に携帯型端末に配信する。全てのユーザーがそのいずれかによってアンダーラインや手書き文字の付された電子文書を閲覧することができる。
【先行技術文献】
【特許文献】
【０００６】
【特許文献１】特開２００８−１４６２４５号公報
【発明の概要】
【発明が解決しようとする課題】
【０００７】
一人の人物が第１の情報機器を用いて電子文書を閲覧した後に同じ電子文書を第２の情報機器を用いて閲覧する場合、第１の情報機器において閲覧し易いように表示設定を適宜変更したのと同様に第２の情報機器においても表示設定操作をするのは面倒である。特に多種多様の電子文書を閲覧する人物は、悪くすれば閲覧する電子文書が変わるごとに表示設定操作をしなければならず、その手間は大きい。従来では、第１の情報機器と第２の情報機器とが同機種であっても、表示設定の項目のうちの一部の項目についてのみ、第１の情報機器での設定が第２の情報機器での表示に反映され、残りの項目については反映されなかった。第１と第２の情報機器の間で、ディスプレイの解像度やビューアーの仕様に依存する表示機能に大きな差異があれば、一方の表示設定をそのまま他方に適用できない場合があり得る。しかし、その場合であっても、設定を変更しなければならない表示設定の項目が少なければ設定操作の手間はそれほど掛からない。
【０００８】
本発明は、このような事情に鑑み、電子文書の閲覧に複数の表示装置を用いるユーザーの表示設定操作の手間を低減することを目的としている。
【課題を解決するための手段】
【０００９】
上記目的を達成する文書表示システムは、第１および第２の文書表示装置を有する。前記第１の文書表示装置および前記第２の文書表示装置のそれぞれは、当該第１の文書表示装置および当該第２の文書表示装置に共通する表示設定項目のうちの予め定められた項目である共通項目および自装置における当該共通項目以外の表示設定項目である固有項目についての表示設定に従って、電子文書を表示する表示処理部と、前記電子文書が表示されている期間中に、ユーザーによる設定変更操作が行われるごとに、最新の表示設定を示す表示設定情報を更新する設定更新部と、前記電子文書の外部への送出指示を受けて、当該電子文書をこれに前記表示設定情報を付加して送出する文書送出部とを備えており、前記第１の文書表示装置は、前記第２の文書表示装置から送出された前記電子文書および当該電子文書に当該第２の文書表示装置によって付加された前記表示設定情報を取得する文書取得部と、前記文書取得部によって前記電子文書とともに取得された前記表示設定情報が示す表示設定に、前記共通項目および前記電子文書の当該第１の文書表示装置における前回の表示中に前記設定更新部によって更新された前記固有項目の設定が含まれる場合に、前記文書取得部によって取得された当該電子文書の表示開始時の表示設定に、当該電子文書に付加された前記表示設定情報が示す表示設定における前記共通項目および前記固有項目の設定を反映させる表示設定部と、を備える。
【発明の効果】
【００１０】
本発明によれば、第１の文書表示装置における電子文書を表示している期間中の最新の表示設定を示す表示設定情報が、電子文書と共に第２の文書表示装置へ送られる。そして、第２の文書表示装置において、表示設定情報が示す少なくとも共通項目の設定が電子文書の表示開始時の表示設定に反映される。これにより、第２の文書表示装置において電子文書を閲覧するユーザーは、表示設定情報が反映されなかった項目についてのみ表示設定を変更すれば、第１の文書表示装置による以前の閲覧と同様に表示される電子文書を閲覧することができる。
【図面の簡単な説明】
【００１１】
【図１】文書表示システムのハードウェア構成の第１例を示す図である。
【図２】電子文書に付加される閲覧チケットの第１例を示す図である。
【図３】第１および第２の文書表示装置のそれぞれにおける閲覧チケットに対応する文書表示の例を示す図である。
【図４】表示される文書の向きに適合するように文書表示装置の姿勢が変更される様子を模式的に示す図である。
【図５】第１および第２の文書表示装置の機能構成を示す図である。
【図６】文書表示装置における文書の表示を開始する動作の流れの概要を示す図である。
【図７】文書表示システムのハードウェア構成の第２例を示す図である。
【図８】電子文書に付加される閲覧チケットの第２例を示す図である。
【図９】文書表示装置の表示設定のデフォルト情報の一例を示す図である。
【図１０】第１および第２の文書表示装置のそれぞれにおける閲覧チケットに従う文書表示の他の例を示す図である。
【図１１】第１および第２の文書表示装置の機能構成の他の例を示す図である。
【発明を実施するための形態】
【００１２】
〔実施形態１〕
図１に例示される文書表示システム１は、第１の文書表示装置としてのスマートフォン１１と第２の文書表示装置としてのタブレット型パーソナルコンピュータ（以下、タブレットという）１２とを有する。スマートフォン１１およびタブレット１２は、それぞれの仕様で定められたファイル形式の電子文書（図中では「文書」と記す）４，４ｂ，５，６，７，８を表示することができる。また、スマートフォン１１およびタブレット１２は、相互に電子文書４，４ｂ，５，６，７，８を転送することができる。転送の方法として、IEEE 802.11b/gに準拠した無線ＬＡＮ(Local Area Network)を用いる方法、Bluetoothによる方法、赤外線通信による方法、および電子メールに添付してメールサーバーを介して受け渡しする方法などある。
【００１３】
文書表示システム１における電子文書の転送に際して、転送対象の電子文書が転送元で最後に表示されたときの表示設定を示す閲覧チケットが電子文書に付加される。閲覧チケットは電子文書ごとに作成され、各電子文書に個別に付加される。図１の例示では、スマートフォン１１からタブレット１２へ転送される電子文書４，５にそれぞれ閲覧チケットＣ４，Ｃ５が付加され、タブレット１２からスマートフォン１１へ転送される電子文書４，４ｂにそれぞれ閲覧チケットＣ４ｂが付加されている。閲覧チケットＣ４，Ｃ５，Ｃ４ｂが示す表示設定は、該当する電子文書４，５，４ｂが転送先で表示される際に可能な範囲内で最大限に転送先の表示設定に反映される。つまり、転送先の表示設定が自動的に転送元の表示設定と同一または近い設定になるように自動的に変更される。
【００１４】
電子文書ごとに個別に付加される閲覧チケットに基づいて表示設定が変更されるので、ある電子文書Ａを閲覧するときにユーザーが表示設定を変更したとしても、その後に他の電子文書Ｂを閲覧するときには当該電子文書Ｂを以前に閲覧したときの表示設定が現在の表示に反映される。
【００１５】
このように閲覧チケットの示す表示設定を表示に反映させる機能は、例えば一人のユーザーがスマートフォン１１およびタブレット１２を場所や状況に応じて使い分ける場合に有用である。電子文書の閲覧に使う装置を切り替えるごとに表示設定を手動で最適化する手間が低減される。また、スマートフォン１１およびタブレット１２をそれぞれ異なるユーザーが使用する場合であっても、例えばスマートフォン１１のユーザーが自己の閲覧時の表示設定と同様の設定でタブレット１２のユーザーにも閲覧してほしいという状況において文書表示システム１は有用である。
【００１６】
以下、文書表示システム１の構成をさらに詳しく説明する。
【００１７】
図２（Ａ）が例示する閲覧チケットＣ４は上述のとおりスマートフォン１１からタブレット１２へ転送される電子文書４に対応し、図２（Ｂ）が例示する閲覧チケットＣ４ｂは上述のとおりタブレット１２からスマートフォン１１へ転送される電子文書４，４ｂに対応する。電子文書４ｂは電子文書４の内容を部分的に編集したものである。編集には語句や画像の追加・削除およびアンダーラインやマーカーラインの付与が含まれる。ここでは「電子文書４を更新した電子文書４ｂを電子文書４の転送元であるスマートフォン１１に返送する」という状況、および電子文書４が元の内容のままスマートフォン１１とタブレット１２との間で行ったり来たりする転送の繰り返しの行われる状況が想定されている。
【００１８】
図２（Ａ）のように閲覧チケットＣ４は、共通項目２０と固有項目２１とに分類された表示設定項目のそれぞれについての“最新の設定”を示す。最新の設定とは、注目する閲覧チケット（ここでは閲覧チケットＣ４）に対応する電子文書（ここでは電子文書４）が表示されている期間中においてユーザーが最後に指定した表示設定を意味する。表示期間中にユーザーが設定を変更しなければ、表示開始時の設定が最新の設定であり、設定を変更すれば、変更後の設定が最新の設定である。現在において電子文書が表示されている場合は現在の設定が最新の設定であり、過去において電子文書が表示されていた場合は表示終了時の設定が最新の設定である。
【００１９】
共通項目２０は、文書表示システム１を構成する文書表示装置であるスマートフォン１１とタブレット１２とに共通する表示設定項目のうちの、スマートフォン１１およびタブレット１２のいずれにも固有ではないと定められた表示設定項目である。図示において、共通項目２０として、「表示ページ番号」「ページ表示順序」「見開きページ数」がある。「表示ページ番号」は複数のページを有する電子文書における表示対象ページを決める項目である。「ページ表示順序」はページ送りの順序を決める項目である。「見開きページ数」は、１ページずつの表示に代えて複数のページを並べて表示するかどうかを決める項目である。
【００２０】
固有項目２１は、デバイスＡとして識別されるスマートフォン１１における共通項目２０以外の表示設定項目である。図示において、固有項目２１として、「表示モード」「拡大率」「シフト表示」「画面分割」「表示の向き」がある。「表示モード」は、表示面の一部をメニューバーやステイタス表示領域といった特定の領域に割り当てる通常表示か表示面の全体を文書内容の表示に用いる全画面表示（フルスクリーン表示）かを決める項目である。「拡大率」は表示の倍率を決める項目である。「シフト表示」は、表示面の有効利用を可能にする項目であり、ページの周囲の余白が表示面からはみ出るようにページを表示面上に配置するかどうかを決める項目である。「画面分割」は表示面を複数の領域に分けて各領域で独立に電子文書を表示するかどうかを決める項目である。「表示の向き」は、長方形のページを縦向き（ポートレイト）で表示するか横向き（ロケーション）で表示するかを決める項目である。
【００２１】
図２（Ｂ）のように閲覧チケットＣ４ｂは、共通項目２０と固有項目２１と固有項目２２とに分類された表示設定項目のそれぞれについての最新の設定を示す。共通項目２０および固有項目２１は図２（Ａ）の項目と同じである。固有項目２２は、デバイスＢとして識別されるタブレット１２における共通項目２０以外の表示設定項目である。つまり、閲覧チケットＣ４ｂは、閲覧チケットＣ４に固有項目２２についての最新の設定を示すデータを追加した表示設定情報である。
【００２２】
図示において、固有項目２２として、「表示モード」「表示倍率」「画面分割」「表示の向き」がある。これらのうち、「表示倍率」は固有項目２１の「拡大率」と同様の設定のための項目であり、残りの三つの項目（表示モード、画面分割、表示の向き）はそれぞれ固有項目２１の同名の項目と同様の設定のための項目である。ただし、タブレット１２の固有項目２２である「表示倍率」および「画面分割」のそれぞれの設定の候補（設定の選択肢）は、スマートフォン１１の固有項目２１である「拡大率」および「画面分割」のそれぞれの設定の候補と同一ではない。タブレット１２とスマートフォン１１との間に表示機能の差異があるからである。
【００２３】
図２の例示において固有項目２１と固有項目２２とを見比べるとわかるとおり、「表示モード」および「表示の向き」のそれぞれにおける設定の候補は固有項目２１と固有項目２２との間で同一である。言い換えれば、「表示モード」および「表示の向き」はスマートフォン１１とタブレット１２とに共通の表示設定項目とみることができる。しかしながら、本実施形態の文書表示システム１においては、スマートフォン１１およびタブレット１２のそれぞれと他の文書表示装置との電子文書のやり取りを想定し、当該他の文書表示装置が全画面表示機能や表示の向きを切り替える機能を持たない場合を考慮して、「表示モード」および「表示の向き」が固有項目２１，２２に定められている。
【００２４】
閲覧チケットＣ４，Ｃ４ｂに対応する文書表示の例が図３に示される。図３の上段部に描かれたスマートフォン１１は、垂直方向に長い縦向きの電子文書４のうちの一つのページを表示している。表示モードは表示面の上端部を操作のための特定領域Ａ１に割り当てる通常表示である。そして、ページの余白Ｍ４を除くようにページの左上隅の点Ｐ１より内側の点Ｐ２を表示の起点とするシフト表示が行われている。このような表示設定を示す閲覧チケットＣ４と共に電子文書４が図３の中段部に描かれたタブレット１２へ転送され、タブレット１２に備わる水平方向に長い表示面上で電子文書４が表示される。
【００２５】
電子文書４が転送された時点のタブレット１２の表示設定について、表示モードは通常表示であり、表示の向きは縦向きであったとする。そうすると、電子文書４の表示開始に際して共通項目２０については閲覧チケットＣ４の示す設定が適用される。しかし、閲覧チケットＣ４にはタブレット１２の固有項目２２についての設定情報は含まれていないので、固有項目２２についてはタブレット１２におけるデフォルト設定が適用される。図３の中段部に描かれたタブレット１２による表示を閲覧するユーザーが、例えば通常表示を全画面表示に変更し、表示の向きを縦から横に変更したとする。そうすると、図３の下段部に描かれているように、タブレット１２は表示面の全域を用いて縦向きの電子文書４を横向きに表示する。このとき、ユーザーは図４のようにタブレット１２の姿勢を９０度回転させて電子文書４を閲覧し易くすることができる。タブレット１２において表示された電子文書４には、閲覧チケットＣ４に代えて閲覧チケットＣ４ｂが付加される。
【００２６】
その後、タブレット１２からスマートフォン１１へ閲覧チケットＣ４ｂの付加された電子文書４が再転送され、スマートフォン１１において電子文書４が表示されるときには、閲覧チケットＣ４ｂの共通項目２０およびスマートフォン１１に該当する固有項目２１の設定が適用される。すなわち、スマートフォン１１のユーザーが以前に電子文書４を閲覧したときの表示設定状態が再現される。
【００２７】
さらにその後に、スマートフォン１１からタブレット１２へ再々転送された電子文書４、またはタブレット１２内で保存されている電子文書４がタブレット１２において表示されるときには、閲覧チケットＣ４ｂの共通項目２０およびタブレット１２に該当する固有項目２２の設定が適用される。すなわち、タブレット１２のユーザーが以前に電子文書４を閲覧したときの表示設定状態が再現される。
【００２８】
図５はスマートフォン１１およびタブレット１２の機能構成を示す。
【００２９】
スマートフォン１１は、操作入力部１０１、表示処理部１０２、設定更新部１０３、文書送出部１０４、文書取得部１０５、表示設定部１０６、および文書管理部１０７を有する。これら要素は、スマートフォン１１に備わるコンピュータとしてのＣＰＵ（central processing unit）が所定のコンピュータプログラムを実行することによって実現される機能要素である。
【００３０】
操作入力部１０１は、操作キーおよびタッチパネルを有する操作入力デバイス３１から入力される信号に基づいてユーザーによる操作の内容を解析し、ユーザーの指示をその内容に応じた通知先へ伝える。表示すべき電子文書の指定を伴う文書表示指示は表示処理部１０２へ伝えられ、電子文書を表示している期間中における表示設定の変更指示は設定更新部１０３へ伝えられ、外部への電子文書の送出指示は文書送出部１０４へ伝えられる。
【００３１】
表示処理部１０２は、表示設定情報Ｄ１１が示す共通項目２０および固有項目２１についての最新の表示設定に従って、ユーザーが表示の対象に選んだ電子文書をディスプレイ３２の表示面上に表示する。表示処理部１０２は、表示対象の電子文書のデータを文書管理部１０７から取得し、表示設定に従ってデータを配置した画面を作成してディスプレイ３２に送る。ページ送り操作に呼応する画面の切替えも表示処理部１０２が行う。表示設定情報Ｄ１１はプログラム実行のワークエリアに存在し、ユーザーが表示設定の変更を指示するごとに設定更新部１０３によって逐次に更新される。そして、表示設定情報Ｄ１１は適宜に不揮発性メモリに格納され、最新の設定が保存される。
【００３２】
文書送出部１０４は、文書送出指示を受けて、送出の対象に指定された電子文書（ここでは電子文書４とする）を、ユーザーが指定した送出先へ通信インタフェース３３を介して送出する。送出先は通信機能をもつ任意の外部装置であり、電子メールを利用する場合のメールサーバーを含む。図示では送出先はタブレット１２である。通信インタフェース３３は、無線ＬＡＮ通信や赤外線通信などの複数の方式の通信を可能にするハードウェアおよびソフトウェアで構成される。送出対象の電子文書４がスマートフォン１１において以前に表示されまたは現時点で表示されている場合、文書送出部１０４は電子文書４についての最新の表示設定を示す情報である閲覧チケットＣ４を電子文書４とともに送出する。送出指示の以前に表示された電子文書４には文書管理部１０７によって閲覧チケットＣ４が付加情報として対応づけられているので、文書送出部１０４は電子文書４とそれに付加された閲覧チケットＣ４とを文書管理部１０７から受け取って送出する。
【００３３】
文書取得部１０５は、外部装置から送出された電子文書（図示では電子文書４ｂ）および当該電子文書４ｂに付加された閲覧チケットＣ４ｂを、通信インタフェース３３が介在する通信によって取得する。文書取得部１０５が取得した電子文書４ｂおよび閲覧チケットＣ４ｂは文書管理部１０７に引き渡され、ユーザーによる指定に応じて保存用のフォルダや表示用の一時記憶フォルダといった所定のメモリ領域に格納される。
【００３４】
表示設定部１０６は、電子文書を表示する際に表示開始時の表示設定情報Ｄ１１を決定する。ユーザーによって今回の表示の対象に指定された電子文書４が文書表示システム１において以前に表示されたことがなく、当該電子文書４に閲覧チケットＣ４が付加されていない場合、表示設定部１０６は不揮発性メモリに格納されているデフォルト情報Ｄ１１Ａを表示設定情報Ｄ１１とする。今回の表示対象である電子文書４が以前にスマートフォン１１において表示されたことがなく、当該電子文書４に付加されている閲覧チケットＣ４に固有項目２１についての設定が含まれていない場合、表示設定部１０６は閲覧チケットＣ４における共通項目２０の設定を表示設定情報Ｄ１１に反映させ、固有項目２１についてはデフォルト情報Ｄ１１Ａが示す設定を反映させる。そして、閲覧チケットＣ４に固有項目２１についての設定が含まれている場合、表示設定部１０６は閲覧チケットＣ４における共通項目２０および固有項目２１の設定を表示設定情報Ｄ１１に反映させる。
【００３５】
文書管理部１０７は、スマートフォン１１が保有する電子文書を管理し、表示処理部１０２および文書送出部１０４にそれらからの要求に応えて電子文書を提供する。表示対象に指定された電子文書４に閲覧チケットＣ４が付加されていない場合、文書管理部１０７は、表示設定部１０６によって決定された表示開始時の表示設定情報Ｄ１１と同じ設定を示す閲覧チケットＣ４を作成し、電子文書４に対応づける。その後、文書管理部１０７は、設定更新部１０３によって表示設定情報Ｄ１１が更新されるごとに逐次に閲覧チケットＣ４の内容を更新し、閲覧チケットＣ４の示す設定を表示設定情報Ｄ１１における該当する項目の設定と一致させる。
【００３６】
以上のスマートフォン１１の機能構成と同様の構成がタブレット１２において実現される。すなわち、タブレット１２は、操作入力部２０１、表示処理部２０２、設定更新部２０３、文書送出部２０４、文書取得部２０５、表示設定部２０６、および文書管理部２０７を有する。これら要素は、タブレット１２に備わるコンピュータとしてのＣＰＵが所定のコンピュータプログラムを実行することによって実現される機能要素であり、それぞれがスマートフォン１１における同じ名称の要素と同様に機能する。ただし、タブレット１２において、操作入力部２０１は操作入力デバイス４１の出力に基づいてユーザーによる操作の内容を解析し、表示処理部２０２は表示設定情報Ｄ１２が示す設定に従ってディスプレイ４２の表示面上に電子文書を表示する。文書送出部２０４および文書取得部２０５は、通信インタフェース４３を介してスマートフォン１１または他の外部装置と通信する。表示設定部２０６は、表示対象の電子文書４に閲覧チケットＣ４が付加されていないかまたは付加された閲覧チケットＣ４に固有項目２２の設定が含まれていない場合、デフォルト情報Ｄ１２Ａに基づいて表示開始時の表示設定情報Ｄ１２を決める。
【００３７】
タブレット１２において、表示対象に指定された電子文書に固有項目２２の設定を含む閲覧チケット（例えば、閲覧チケットＣ４ｂ）が付加されている場合には、当該電子文書の表示開始時の表示設定に、閲覧チケットにおける共通項目２０および固有項目２２の設定を反映させる。すなわち、表示設定情報Ｄ１２が示す設定を閲覧チケットが示す設定に置き換える。
【００３８】
スマートフォン１１およびタブレット１２が同様の機能構成を有するので、スマートフォン１１およびタブレット１２をそれぞれ用いて同一内容の電子文書を閲覧するユーザーに対して、一方での閲覧時の設定が全部または部分的に他方での表示に反映されるという相互に表示設定が共通化される閲覧環境が提供される。また、以前に閲覧した電子文書を以前と同じ装置を用いて閲覧する場合に以前の表示設定の再現される環境が提供される。
【００３９】
図６はスマートフォン１１およびタブレット１２のそれぞれにおける電子文書の表示を開始する動作の流れの概要を示す。文書管理部１０７，２０７が表示すべき電子文書をそれの格納されている所定のメモリから読み出し（Ｓ１０）、文書管理部１０７，２０７および表示設定部１０６，２０６が電子文書に付加されている情報を確認する（Ｓ１１）。付加情報の中に閲覧チケットが無ければ（Ｓ１２でＮＯ）、表示設定部１０６，２０６はデフォルト情報Ｄ１１Ａ，Ｄ１２Ａを取得して表示設定に反映させる（Ｓ１５）。閲覧チケットが有れば（Ｓ１２でＹＥＳ）、表示設定部１０６，２０６は文書管理部１０７，２０７が提供するデータから閲覧チケットを抽出し（Ｓ１３）、閲覧チケットの内容を解析し（Ｓ１４）、共通項目２０の設定を示す共通情報を抽出して表示設定に反映させる（Ｓ１６）。続けて、表示設定部１０６，２０６は固有項目２１、２２の設定を示す固有情報を抽出して表示設定に反映させる（Ｓ１６、Ｓ１７）。閲覧チケットに固有情報がなければ（Ｓ１７でＮＯ）、表示設定部１０６，２０６はデフォルト情報Ｄ１１Ａ，Ｄ１２Ａのうちの固有項目２１、２２のデータを取得して表示設定に反映させる（Ｓ１９）。表示開始時の表示設定が決定した後、表示処理部１０２，２０２が表示開始時の表示設定を適用した画面データを作成し、ディスプレイ３２，４２に電子文書を表示させる（Ｓ２０）。
〔実施形態２〕
図７に例示される文書表示システム２は、第１の文書表示装置としてのＭＦＰ（Multifunction Peripheral）１５と第２の文書表示装置としてのインテリジェント型のプロジェクタ１６とを有する。ＭＦＰ１５およびプロジェクタ１６はＬＡＮ１０を介して通信可能に接続されている。ＬＡＮ１０は有線ネットワーク、無線ネットワーク、および有線と無線とが混在するネットワークのいずれでもよい。
【００４０】
ＭＦＰ１５は、画像形成装置としての用途であるコピーおよびネットワークプリンティングの他に、文書（ドキュメント）の入力・保存・転送にも利用されるビジネスユースの情報機器である。ＭＦＰ１５はイメージスキャナおよびストレージを有しており、原稿シートのスキャニングまたは外部機器とのネットワーク通信によって取得した電子文書を保存することができる。そして、ＭＦＰ１５のユーザーは、ＭＦＰ１５が取得した電子文書を操作パネル５０のディスプレイに表示させて閲覧したり、プロジェクタ１６に転送したりすることができる。ＭＦＰ１５において表示された電子文書９には閲覧チケットＣ９が付加情報として対応づけられており、この電子文書９のプロジェクタ１６への転送に際して、電子文書９とともに閲覧チケットＣ９が送出される。
【００４１】
プロジェクタ１６は、ＭＦＰ１５から転送された電子文書９をＭＦＰ１５の表示面よりも十分に大きいスクリーン１７に投影して拡大表示する。その際、プロジェクタ１６は、電子文書９に付加されている閲覧チケットＣ９が示す設定をプロジェクタ１６における表示設定に反映させる。そして、閲覧チケットＣ９に示されていない項目について、プロジェクタ１６は予め保有しているデフォルト情報が示す設定を表示に適用する。
【００４２】
図８のように閲覧チケットＣ９は、共通項目６０と固有項目６１とに分類された表示設定項目のそれぞれについての“最新の設定”を示す。最新の設定とは、上述のとおり注目する閲覧チケット（ここでは閲覧チケットＣ９）に対応する電子文書（ここでは電子文書９）が表示されている期間中においてユーザーが最後に指定した表示設定である。
【００４３】
共通項目６０は、文書表示システム２を構成する文書表示装置であるＭＦＰ１５とプロジェクタ１６とに共通する表示設定項目のうちの、ＭＦＰ１５およびプロジェクタ１６のいずれにも固有ではないと定められた表示設定項目である。図示において、共通項目６０として、「表示ページ番号」「ページ表示順序」「見開きページ数」「フォント置換」「文字サイズ最適化」がある。「フォント置換」は電子文書で使用されているフォントに代えて当該電子文書を表示する装置に適したフォントを使用するかどうかを決める項目である。「文字サイズ最適化」は電子文書の文字サイズを表示に適した文字サイズに変更するかどうかを決める項目である。
【００４４】
固有項目６１は、デバイスＡとして識別されるＭＦＰ１５における共通項目６０以外の表示設定項目である。図示において、固有項目６１として、「表示モード」「拡大率」「シフト表示」「表示フォント」「画面分割」「表示の向き」がある。「表示フォント」は、表示に使用するフォントを指定する項目である。
【００４５】
図９はプロジェクタ１６が保有するデフォルト情報Ｄ１６Ａの例を示す。デフォルト情報Ｄ１６Ａは、共通項目６０と固有項目６２とに分類された表示設定項目のそれぞれについてのデフォルト設定を示す。共通項目６０は図８の共通項目６０と同じである。ただし、各項目の設定は装置ごとに決められるので、図８と図９との間で共通項目６０の設定に差異がある。固有項目６２は、デバイスＢとして識別されるプロジェクタ１６における共通項目６０以外の表示設定項目である。つまり、デフォルト情報Ｄ１６Ａは、プロジェクタ１６においてユーザーが設定変更をすることのできる表示設定項目の全てについてのデフォルト設定を示す。図示において、固有項目６２として、「表示モード」「表示フォント」「画面分割」「表示の向き」がある。
【００４６】
図１０は文書表示システム２における文書表示の例を示す。図１０の左上部に描かれた電子文書９が表示の対象である。電子文書９はページ番号が連続した二つのページ９３，９４を含んでいる。図１０の中段の右側部に描かれているように、ＭＦＰ１５の表示面ＤＳでは、図中に一点鎖線で表わされる左右に並ぶ見開き状態の二つのページ９３，９４の一部分が全画面表示形式で拡大表示されている。また、シフト表示が行われ、明朝体フォントが用いられている。このような表示状態に対応した設定情報（図８参照）をもつ閲覧チケットＣ９が電子文書９とともにプロジェクタ１６に転送される。
【００４７】
図１０の下段部に描かれているように、ページ９３，９４を拡大したページ９３ｂ，９４ｂがスクリーン１７上に表示される。このとき、閲覧チケットＣ９における共通項目６０の設定が適用される。すなわち、ＭＦＰ１５で表示されたときと同様に二つのページ９３ｂ，９４ｂが左右に並べられ、フォント置換および文字サイズ最適化が行われる。置換するフォントについては、閲覧チケットＣ９の固有項目６１がプロジェクタ１６の項目ではないので、デフォルト情報Ｄ１６Ａ（図９参照）の項目「表示フォント」の設定（ゴシック）が適用される。
【００４８】
図１１はＭＦＰ１５およびプロジェクタ１６の機能構成を示す。
【００４９】
ＭＦＰ１５において、上述したスマートフォン１１の機能構成（図５参照）と同様の構成が実現される。すなわち、ＭＦＰ１５は、操作入力部３０１、表示処理部３０２、設定更新部３０３、文書送出部３０４、文書取得部３０５、表示設定部３０６、および文書管理部３０７を有する。これら要素は、ＭＦＰ１５に備わるコンピュータとしてのＣＰＵが所定のコンピュータプログラムを実行することによって実現される機能要素であり、それぞれがスマートフォン１１における同じ名称の要素と同様に機能する。ただし、ＭＦＰ１５において、操作入力部３０１は操作パネルに備わる操作入力デバイス５０１の出力に基づいてユーザーによる操作の内容を解析し、表示処理部３０２は表示設定情報Ｄ１５が示す設定に従ってディスプレイ５０２の表示面上に電子文書を表示する。文書送出部３０４および文書取得部３０５は、通信インタフェース５９を介してプロジェクタ１６または他の外部装置と通信する。表示設定部３０６は、表示対象の電子文書９に閲覧チケットＣ９が付加されていないかまたは付加された閲覧チケットＣ９に固有項目６１の設定が含まれていない場合、デフォルト情報Ｄ１５Ａに基づいて表示開始時の表示設定情報Ｄ１５を決める。
【００５０】
プロジェクタ１６は、表示処理部４０２、文書取得部４０５、および表示設定部４０６を有する。これら要素は、プロジェクタ１６に備わるコンピュータとしてのＣＰＵが所定のコンピュータプログラムを実行することによって実現される機能要素であり、それぞれがＭＦＰ１５における同じ名称の要素と同様に機能する。ただし、プロジェクタ１６において、表示処理部４０２は、スクリーン１７上に電子文書９を表示させるために、表示設定情報Ｄ１６が示す設定を適用して作成した画面データを投影機構６２に送る。文書取得部４０５は、通信インタフェース６３を介してＭＦＰ１５または他の外部装置と通信する。表示設定部４０６は、表示対象の電子文書９に閲覧チケットＣ９が付加されていないかまたは付加された閲覧チケットＣ９に固有項目６１の設定が含まれていない場合、デフォルト情報Ｄ１６Ａに基づいて表示開始時の表示設定情報Ｄ１６を決める。
【００５１】
以上の実施形態１、２によれば、デフォルト情報Ｄ１１Ａ，Ｄ１２Ａ，Ｄ１５Ａ，Ｄ１６Ａにおける共通項目２０，６０の設定に優先して閲覧チケットＣ４，Ｃ４ｂ，Ｃ５，Ｃ９における共通項目２０，６０の設定が表示に適用されるので、以前の閲覧時の共通項目の設定がデフォルト設定と異なっていても、改めて電子文書を閲覧するときに以前の閲覧時の共通項目の設定が復元される。したがって、ある電子文書をユーザーが以前と同様の設定で閲覧したいと思う場合において、設定を復元する操作の手間を低減することができる。
【００５２】
上述の実施形態１、２において、閲覧チケットの設定を表示に反映させるときに、自装置に該当する固有項目が閲覧チケットに含まれていなくても、表示機能の仕様が自装置と同一または類似する装置の固有項目が含まれていれば、それを表示に反映させるようにしてもよい。そうすれば、例えば同型の文書表示装置の間で、電子文書ごとにそれを閲覧するときの表示設定が自動的に共通化される。
【００５３】
共通項目と固有項目との分類については、本発明を適用したコンピュータプログラムを導入しようとする複数種の文書表示装置の表示機能の仕様に応じて適宜行えばよい。上述したとおり、固有項目は３以上の文書表示装置のうちの複数の装置に共通の表示設定項目であってもよい。
【符号の説明】
【００５４】
１，２    文書表示システム
１１    スマートフォン（文書表示装置）
１２    タブレット（文書表示装置）
１５    ＭＦＰ（文書表示装置）
１６    プロジェクタ（文書表示装置）
２０，６０    共通項目
２１，２２，６１，６２    固有項目
４，５，６，７，８，９    電子文書
Ｃ４，Ｃ４ｂ，Ｃ５，Ｃ９    閲覧チケット（表示設定情報）
１０２，２０２，３０２，４０２    表示処理部
１０３，２０３，３０３，４０３    設定更新部
１０４，２０４，３０４    文書送出部
１０５，２０５，３０５，４０５    文書取得部
１０６，２０６，３０６，４０６    表示設定部
Ｄ１１Ａ，Ｄ１２Ａ，Ｄ１５Ａ，Ｄ１６Ａ    デフォルト情報
【図１】
0005375860.tif 000002
【図２】
0005375860.tif 000003
【図３】
0005375860.tif 000004
【図４】
0005375860.tif 000005
【図５】
0005375860.tif 000006
【図６】
0005375860.tif 000007
【図７】
0005375860.tif 000008
【図８】
0005375860.tif 000009
【図９】
0005375860.tif 000010
【図１０】
0005375860.tif 000011
【図１１】
0005375860.tif 000012